Podtech/llm-jp-corpus-v4-ja_patent huggingface dataset:
(57)【要約】      （修正有）【課題】木への理解が深まる様に、標本の一部に樹皮を残して製作する木の標本を提供する。【解決手段】木の標本を作るために原木丸太を六面体に加工する時、一面の皮２を残して五面を切断して、木の標本１を構成する。また、木の長手方向に薄く切った丸太を標本にする場合には、原木の丸太に皮がついたまま薄く切り、皮を一部残して剥ぎ、剥いだ皮は、一部に皮を残した丸太と共に額に貼り付けて標本としても良い。【選択図】図２
0003152514.tif 000002
【実用新案登録請求の範囲】
【請求項１】
皮２を一部残した木の標本１。
【考案の詳細な説明】
【技術分野】
【０００１】  この考案は、木の標本に関するものである。
【背景技術】
【０００２】  従来の木の標本１０は、板状のものであり、皮が付いていない。
【考案の開示】
【考案が解決しようとする課題】
【０００３】  図１に示すように、従来の木の標本１０は、皮が付いていないので、木を理解するのに不十分であった。
本考案は、これらの欠点を解決するためになされたものである。
【課題を解決するための手段】
【０００４】  図２で示すように、皮２を一部残した木の標本１である。
【考案の効果】
【０００５】  本考案により、その木の皮２を知ることができ、その木の理解が深まる。
【考案を実施するための最良の形態】
【０００６】  以下、本考案を実施するための最良の形態を説明する。
図２で示すように、原木丸太を六面体にしようとするとき、一面の皮２を残して五面を切断して製材し、木の標本１を得る。
【他の実施例】
【０００７】  図３で示すように、薄く切った丸太４の場合は、原木丸太を皮が付いたまま薄く切り、皮２ａを一部残して剥ぐ。皮２ｂを薄く切った丸太４に付けないで、額３内に取り付けることもある。
【使用例１】
【００１０】  本考案は、次のように使用する。
図３で示すように、薄く切った丸太４の場合は、額３に取り付けて、その額３を壁などに架ける。こうすると、標本となるばかりでなく、室内の装飾としての効果も得られる。
【使用例２】
【００１１】  本考案は、次のように使用する。
図４で示すように、本考案を木の種類ごとに仕切り棚６に納める。そして、それぞれに、木の性質や用途をプレートに表示する。
こうすれば、いろいろな木を一望に見ることができ、木の理解をさらに深めることができる。
【図面の簡単な説明】
【００２０】
【図１】は、従来の木の標本を示す斜視図である。
【図２】は、本考案を示す斜視図である。
【図３】は、本考案の使用例を示す正面図である。
【図４】は、本考案の使用例を示す正面図である。
【符号の説明】
【００３０】１  木の標本      １ａ  木の標本      １ｂ  木の標本
２  皮      ２ａ  皮      ２ｂ  皮      ３  額      ４  薄く切った丸太
５ａ  プレート      ５ｂ  プレート      ６  仕切り棚
【図１】
0003152514.tif 000003
【図２】
0003152514.tif 000004
【図３】
0003152514.tif 000005
【図４】
0003152514.tif 000006
(57)【要約】      （修正有）【課題】省電力型蛍光灯の蛍光管の光量を、従来の蛍光管の光量に近ずける省電力型蛍光灯支持具を提供する。【解決手段】省電力型蛍光灯支持具の縁を内側に曲げ、フレキシブルフイルムの裏面に反射材を蒸着したフイルム使用し、支持具の縁と縁を利用し半円にして、前に蛍光管を配置する。反射フレキシブルフイルムで光の反射し、前面に光を集中させる。【選択図】図１
0003152516.tif 000002
【実用新案登録請求の範囲】
【請求項１】
本考案は省電力型の蛍光灯は直径の細い蛍光管であるため、光量が従来の蛍光管より少ないため、省電力型蛍光灯支持具の縁を内側に曲げ、フレキシブルフイルムの裏面に反射材を蒸着したフイルム使用し、支持具の縁と縁を利用し半円する、前に蛍光管を配置し、反射フレキシブルフイルムで光の反射し、前面に光を集中させる、省電力型の蛍光灯取り付け機器。
【考案の詳細な説明】
【技術分野】
【０００１】
本考案は省電力型蛍光灯取り付け機器である。
【背景技術】
【０００２】
従来の蛍光管より、省電力型蛍光灯は蛍光管が従来の蛍光管より細いので、光量が従来の蛍光管より少ない。
【考案の開示】
【考案が解決しようとする課題】
【０００３】
従来の蛍光管より、省電力型蛍光灯は蛍光管が従来の蛍光管より細いので、光量が従来の蛍光管より少ない、これを解決しようとする課題とする。
【課題を解決するための手段】
【０００４】
本考案は省電力型蛍光灯の蛍光管が従来の蛍光管より細いので、前面に光を集める必要があり、課題を解決するための手段とする。
【考案の効果】
【０００５】
本考案は省電力型蛍光灯取り付け機器に反射フレキシブルフイルムを配置すること、本考案の効果があった。
【考案を実施するための最良の形態】
【０００６】
本考案は、省電力型蛍光灯取り付け機器に縁を内側に曲げることと、反射フレキシブルフイルムを利用することで、簡単に配置することが出きることで、実施するための最良の形態をえた。
【実施例】
【０００７】
図面に従って、以下添付実施例を説明する、１は省電力型蛍光灯取り付け機器、１aは本案の３を支える縁である、２は省電力型蛍光灯省電力型蛍光灯。
【０００８】
３はフレキシブルフイルムの裏面に反射材を蒸着したフイルム。
【図面の簡単な説明】
【０００９】
【図１】反射材付蒸着フイルム付省電力型蛍光灯用器具正面図
【図２】反射材付蒸着フイルム付省電力型蛍光灯用器具底面図
【符号の説明】
【００１０】
１    反射材付蒸着フイルム付省電力型蛍光灯用器具
２    省電力型蛍光灯
３    反射材付蒸着フイルム
【図１】
0003152516.tif 000003
【図２】
0003152516.tif 000004
【手続補正書】
【提出日】平成21年6月3日(2009.6.3)
【手続補正１】
【補正対象書類名】実用新案登録請求の範囲
【補正対象項目名】全文
【補正方法】変更
【補正の内容】
【実用新案登録請求の範囲】
【請求項１】
省電力型蛍光灯支持具の長手方向の両縁を内側に曲げ、裏面に反射材を蒸着したフレキシブルフィルムを支持具の曲げた溝に挟み込み設置することにより、光の反射を利用して前面に光を集中させることより照度をあげることを特徴とする省電力型蛍光灯支持具。
(57)【要約】      （修正有）【課題】折り畳み式携帯電話機を、閉、半開及び全開に対応して、多様な使い分けが出来るようにした多目的携帯電話機を提供する。【解決手段】折り畳み式携帯電話機に、キーボード部および表示部を接続する要を有し、前記要に対し全開状態、半開状態、閉じた状態に保持することのできる折り畳み部分を設ける。さらに前記半開状態の時に電話番号の入力回路に接続され、前記全開状態のとき通信通話回路に接続され、前記閉じた状態の時、通信通話回路が閉じるロータリ接点を有し、ロータリ接点には、赤外線人体監視センサーが接続されてセンサーが、ＯＦＦ時点では通信にはならないが、ＯＮの時点では閉じた状態でも通信となる様に構成する。【選択図】図４
0003152513.tif 000002
【実用新案登録請求の範囲】
【請求項１】
折り畳み式携帯電話機に、全開  半開  閉じる、セレクト機構を設け、半開きで任意の電話番号を入力して全開で通信通話する、折畳みが、閉じる、通信通話は終わるが、折り畳みが閉じたで状態メモリしている電話番号にセツトと 成り、該折り畳み携帯電話機に設けられた外センサが働くと全開と同様の働きすることを特徴とする多目的携帯電話機。
【請求項２】
当該携帯電話機は閉じるの状態で呼び出し音が複数回鳴ると、通信と成り、設定秒後には通信は自動にて 終わり、秒数値は任意に変えられることを特徴とする請求項1記載の多目的携帯電話機。
【請求項３】
当該携帯電話機と他の回路と組み合わせて、人体を感知して、アクセスするとメモリーしておいた相手の電話機に通信するが、任意に変えられる秒後自動で通信は終わり、センサーの感知が続けば、通信は繰り変えされる事を特徴とする請求項1又は2記載の多目的携帯電話機。
【考案の詳細な説明】
【技術分野】
【０００１】
多目的携帯電話機は、如何なる場所でも防犯監視センサにて人体赤外センサが働き、電話番号をメモリーして置いた電話機に、呼び出し音で3回通信する。後通信は終わり、人体赤外センサが働き続けると、再度、呼び出し音が3回鳴り、同様のサイクルが繰り返され、防犯監視の仕事をする、多目的携帯電話機。
【考案の概要】
【考案が解決しようとする課題】
【０００２】
従来の折り畳み式携帯電話機は、半開、全開にて、多種、多様に、使い分けができなかった。
【課題を解決するための手段】
【０００３】
上記課題を解決する為に、折り畳み式電話機、多目的携帯電話機を提供するものである。
【０００４】
すなわち３端子  ２端子  保持回路  無縁の機器を多目的携帯電話機にセツトすれば、DTMF信号で遠隔操作が可能で、防犯監視中、カメラの電源をONしたり、他の機器のコントロール可能入り切りが行なわ れた、証し音を知らす、多目的携帯電機となる。
【０００５】
全開  半開  閉じると成っていて、閉じる時点でも、防犯監視センサがONの時点で人体赤外センサが働くと全開と同様の働きと成り、呼び出し音３回の通信と成る、半開きの時点は、任意で番号をセレクトして、通信通話ができる。  
【０００６】
警備会社の警備感知方法は有線であり、回線を切断されると感知不能と成るが、本考案の多目的携帯電話機は無線なので通信が不能と成らない。  
【０００７】
電話番号をメモリーしている相手の電話機には全開で速く通話音で通話なり、周辺機器と組み合わせれば、多目的に拡大する。
【０００８】
本考案の携帯電話機は、3極端子、2極端子を接続する端子があり、周辺機器により拡大利用が可能な、多目的携帯電話機である。
【図面の簡単な説明】
【０００９】
【図１】全開でメモリーしている番号の電話機にアクセス無しで、通話音で通話となる。
【図２】半開で通常の携帯電話機と同様で電番を入力して、全開で通話音で通話音となる。
【図３】閉じた状態で人体赤外センサー働けばメモリーした電話機の番号に通話音で知らす。
【図４】多目的携帯電話機に関連する周辺機器の回路。
【考案を実施するための形態】
【００１０】
図1は、折り畳み式の携帯電話機を全開して横から見た図であり、この状態は通話音、呼び出し音セレクトしなくても全開で通話ができる。ただし、全開して通話音で通話となるのは入力した固定番号のみと成る。
【００１１】
図2は半開で通常の携帯電話機と同様で電番を入力して、全開で通話音で通話となる。
【００１２】
図3は、閉じた状態でも、人体赤外センサが働けば、発信となり、メモリしている電番の電話機に通話音で知らせる。
【００１３】
図4は本考案に係る多目的携帯電話機に、2極端子又  3極端子を介して、外付けの保持回路、時刻切断回路、DTMF回路等が、接読される、更に無縁の機器と接読することができる。
無縁の機器に他の機器、例えばカメラ、冷暖房、照明装置等の電源が接読され、これらの他の機器の電源が  ON OFF されたときに、外付けの回路に信号が返り、3極端子を経由して多目的携帯電話機に、ONの状態を知らせる。
終了したときは、終了の信号、相手の電話機に知らせる。
【図１】
0003152513.tif 000003
【図２】
0003152513.tif 000004
【図３】
0003152513.tif 000005
【図４】
0003152513.tif 000006
【手続補正書】
【提出日】平成21年6月1日(2009.6.1)
【手続補正１】
【補正対象書類名】実用新案登録請求の範囲
【補正対象項目名】請求項１
【補正方法】変更
【補正の内容】
【請求項１】
折り畳み式携帯電話機に、キーボード部および表示部を接続する要を有し、前記要に対し全開状態、半開状態、閉じた状態に保持することのできる折り畳み部分を有し、前記半開状態の時に電話番号の入力回路に接続され、前記全開状態のとき通信通話回路に接続され、前記閉じた状態の時、通信通話回路が閉じるロータリ接点を有し、ロータリ接点には、赤外線人体監視センサーが接続されてセンサーが、OFF時点では通信にはならないが、ONの時点では閉じた状態でも通信とする事を特徴とする多目的携帯電話機。
(57)【要約】      （修正有）【課題】取付部における保持性や安全性の高い形状のシロッコファンを提供する。【解決手段】ケーシングが、羽根車を収納して吐出口を形成する略弧状ケーシング部とこの両側面を閉止して固定する角形状のフランジ部とからなり、フランジ部にはモータが固定されると共に取付孔が形成されることを特徴とする。【選択図】図２
0003152910.tif 000002
【実用新案登録請求の範囲】
【請求項１】
モータに連結される羽根車と、該羽根車を内部収納すると共に接線方向に吐出口を形成するケーシングとからなるシロッコファンにおいて、前記ケーシングが、前記羽根車を収納して吐出口を形成する略弧状ケーシング部とこの両側面を閉止して固定する角形状フランジ部とからなり、前記フランジ部には前記モータが固定されると共に取付孔が形成されることを特徴とする角形状フランジ部を有するシロッコファン。
【考案の詳細な説明】
【技術分野】
【０００１】
本考案は、羽根車とケーシングを有するシロッコファンに係り、特に、ケーシングに角形状のフランジ部を有する角形状フランジ部を有するシロッコファンに関する。
【背景技術】
【０００２】
シロックファンとしてはその内部の羽根車に関しては各種の工夫がされているものが多いが、そのケーシングとしては「特許文献１」や「特許文献２」に示すように接線方向に吐出口を有する略弧状のケーシングを有するものが殆どである。
【先行技術文献】
【特許文献】
【０００３】
【特許文献１】特開平７−９１４００号（図１）
【特許文献２】特開平１０−１４１２９４号（図１）
【考案の概要】
【考案が解決しようとする課題】
【０００４】
「特許文献１」の「特開平７−９１４００号」の「シロックファン」は図示のように接線方向に吐出口（１３）を形成する略弧状のケーシング（２）を形成するものからなる。また、「特許文献２」の「シロックファン」も接線方向に吐出口（２９）を形成する略弧状のケーシング（２）を形成するものからなる。
【０００５】
以上の従来のシロックファンの場合ケーシングが略弧状のため図６に示すように地面８等にシロックファン１００Ａを置いた場合は極めて不安定の状態となる。また、このシロックファン１００Ａを取付け場所（図略）に問題点がある。
【０００６】
本考案は、以上の事情に鑑みて考案されたものであり、取付性や保持性の極めてよい角形状フランジ部を有するシロッコファンを提供することを目的とする。
【課題を解決するための手段】
【０００７】
本考案は、以上の目的を達成するために請求項１の考案は、モータに連結される羽根車と、該羽根車を内部収納すると共に接線方向に吐出口を形成するケーシングとからなるシロッコファンにおいて、前記ケーシングが、前記羽根車を収納して吐出口を形成する略弧状ケーシング部とこの両側面を閉止して固定する角形状のフランジ部とからなり、前記フランジ部には前記モータが固定されると共に取付孔が形成されることを特徴とする。
【考案の効果】
【０００８】
本考案の請求項１の角形状フランジ部を有するシロッコファンによれば、ケーシングの取付部に角形状フランジ部を形成することにより地面への保持性もよく、かつ各種の取付け場所における取付けが極めて容易であり、安全性の高い取付けを確保することができる。
【図面の簡単な説明】
【０００９】
【図１】本考案のシロックファンの全体形状を示す斜視図。
【図２】本考案のシロックファンの正面図。
【図３】図２のＡ矢視の側面図。
【図４】本考案のシロックファンの地面への保持状態を示す正面図。
【図５】本考案のシロックファンの取付場所における取付け状態を示す正面図。
【図６】従来のシロックファンの地面への保持状態を示す正面図。
【考案を実施するための形態】
【００１０】
以下、本考案の角形状フランジ部を有するシロッコファンの実施の形態を図面を参照して詳述する。
【実施例】
【００１１】
図１に示すように、本実施例における角形状フランジ部を有するシロッコファン１００は吐出口３ａを接線方向に突出形成する弧状ケーシング部３とこの両側面を閉止して固定する角形状フランジ部２とからなるケーシング１とケーシング１の角形状フランジ部２に固定されるモータ４と図２や図３等に示されている羽根車５等とからなる。
【００１２】
図２及び図３に示すように弧状ケーシング部３は羽根車５の外周を囲んで配設される略弧状の板部３ｂとこの板部３ｂの接線方向に突出して形成される吐出口３ａを形成するものからなり、これ等の部材の両側面は開口された状態に形成される。
【００１３】
一方、角形状フランジ部２は板部３ｂや吐出口３ａの前記の開口されている部分を閉止してこれ等を固持する角状の板部２ａとこの板部２ａの外面（４外面からなる）に形成されるフランジ部２ｂ等とからなる。なお、このフランジ部２ｂには取付孔６が開口形成されている。また、板部２ａの１つにはモータ４が固定され板部２ａの他の１つには羽根車５と同心の開口部７が形成される。モータ４には前記のように羽根車５がその回転軸に固定される。
以上の構造によりモータ４を駆動することによりケーシング１内で羽根車が回転し、板部２ａのモータ４の取付側と異なる側の開口部７から吸引された空気がケーシング１内で圧縮されて突出口３ａから吐出される。
【００１４】
図４及び図５は本考案の角形状フランジ部を有するシロッコファン１００の地面８や取付部９等に保持又は固定されている状態を示す。
図４に示すように地面８上に角形状フランジ部を有するシロッコファン１００を保持する場合には角形状フランジ部２のフランジ部２ｂを地面８に接触させることにより安全に保持される。また、図５に示すように直角に曲げられている取付部９においても角形状フランジ部を有するシロッコファン１００はそのフランジ部２ｂを取付部９に当接し取付孔６によりビス止めすることにより安全、かつ確実に固定される。勿論、取付部９の形状が図示のものと相異するものに対しても安全に固定することができる。
【００１５】
本考案の角形状フランジ部を有するシロッコファン１００は、以上の構造のものからなるが、この内容に限定するものでなく、同一技術的範疇のものが適用されることは勿論である。
【産業上の利用可能性】
【００１６】
本考案の角形状フランジ部を有するシロッコファンは殆どすべてのシロックファンに適用可能でありその利用範囲は極めて広い。
【符号の説明】
【００１７】
１      ケーシング
２      角形状フランジ部
２ａ    板部
２ｂ    フランジ部
３      略弧状ケーシング部
３ａ    吐出口
３ｂ    板部
４      モータ
５      羽根車
６      取付孔
７      開口部
８      地面
９      取付部
１００  角形状フランジ部を有するシロッコファン
【図１】
0003152910.tif 000003
【図２】
0003152910.tif 000004
【図３】
0003152910.tif 000005
【図４】
0003152910.tif 000006
【図５】
0003152910.tif 000007
【図６】
0003152910.tif 000008
(57)【要約】      （修正有）【課題】気功などにおいて施術者が患者に対して手のひらを向けて施術を行う場合、施術者の生体磁場が手のひらから患者へ向けて放射することで、患者の健康増進を図り、かつ施術者に生体磁場を補給する磁場放射体を備えた磁気治療手袋を提供する。【解決手段】磁極を対向して配置された磁石と、それらに挟まれて配置された水晶から成る波動調整器２を、一対の磁石と水晶が手袋１の手のひら側に沿うように固定する。波動調整器は手袋１の片手側に１０個ずつ、合計２０個を使用する。【選択図】図１
0003152909.tif 000002
【実用新案登録請求の範囲】
【請求項１】
手袋の表面、内部のいずれか一方、或いは両方に、磁場放射体を備える、ことを特徴とする磁気治療手袋。
【請求項２】
該磁場放射体は、磁石、天然石、人工石のいずれか、或いはこれらの組み合わせから成る、ことを特徴とする請求項１に記載の磁気治療手袋。
【請求項３】
該磁場放射体は、磁極を対向して配置された磁石と、それらに挟まれて配置された水晶から成る、ことを特徴とする請求項２に記載の磁気治療手袋。
【考案の詳細な説明】
【技術分野】
【０００１】  氣功などの施術を行う際に、施術者が着用する手袋に関する。
【背景技術】
【０００２】  氣功やレイキ、ヒーリングなど、患者の健康増進を目的とした施術において、施術者が手のひらを患者へ向けて適度な間隔離れ非接触で施術を行うとき、施術者の磁場が、手のひらから患者に放射されることにより、患者の健康増進が図れると考えられている。
【考案の概要】
【考案が解決しようとする課題】
【０００３】  このとき、施術者は何らかの方法により、自らが失った分の磁場に相当する磁場を補給する必要が生じる。これを怠ると、施術者自信の健康に悪影響を与えてしまう。そこで、施術者は、いかにして自らの磁場を消費せずにあるいは自らが失った分の磁場に相当する磁場を外界から補給しながら、患者に対して施術を行うかが課題となっている。
【課題を解決するための手段】
【０００４】  この課題を解決するために、本発明において、氣功などを行う際に施術者が着用する手袋に、磁場放射体を備えた磁気治療手袋を提供する。
【図面の簡単な説明】
【０００５】
【図１】  本発明における磁気治療手袋の概略図を示している。
【実施例】
【０００６】  図１に示される磁気治療手袋において、磁場放射体２として、特願２００５−２６０３５６に開示されている波動調整器を用いた。つまり、磁極を対向して配置された磁石と、それらに挟まれて配置された水晶から成る波動調整器を、一対の磁石と水晶が手袋１の手のひら側に沿うように固定した。波動調整器は手袋１の片手側に１０個ずつ、合計２０個を使用した。このように製作された磁気治療手袋を施術者が両手にはめ、患者から約１ｍ離れた距離で、両手が円を描くように回した。患者は施術開始後まもなく、施術の効果に気付き、身体の一部に痛みの反応を感じたり、磁気治療手袋から放射されている磁場の渦を感じたり、身体から邪気が抜けていくように感じたりした。患者は、施術前と比べて、施術後は身体が軽くなり、気分がよくなったと施術の効果を認めた。
【符号の説明】
【０００７】１…手袋、２…磁場放射体
【図１】
0003152909.tif 000003
(57)【要約】      （修正有）【課題】天然ゴムアレルギーが発生する可能性がなく、しっとり感がある化粧用のパフを提供する。【解決手段】合成ゴムにシルクセリシンをまぜて低温発泡させたことを特徴とする。【選択図】図１
0003152905.tif 000002
【実用新案登録請求の範囲】
【請求項１】
合成ゴムにシルクセリシンをまぜて、低温発泡させた化粧用のパフ
【考案の詳細な説明】
【技術分野】
【０００１】この考案は、顔および体の皮膚におしろいを付着させるための化粧用のパフに関する。
【背景技術】
【０００２】従来のスポンジのパフには天然ゴムを発泡させたものや合成ゴムを発泡させたものがある。
【考案の開示】
【考案が解決しようとする課題】
【０００３】従来のスポンジのパフのうち天然ゴムを発泡させたものは天然ゴムのアレルギーが発生する可能性がある。また合成ゴムを発泡させたものはしっとり感が少ない。
【課題を解決するための手段】
【０００４】［図１］のような合成ゴムにシルクセリシンをまぜて低温発泡させたスポンジ体の化粧用パフを提供する。
【考案の効果】
【０００５】合成ゴムでできているパフなので、天然ゴムがはいっていないので天然ゴムアレルギーが発生する可能性がない。またシルクセリシンには保湿効果があるので、合成ゴムであるがしっとり感がある化粧用のパフとなる。
【実施例】
【０００６】［図１］のように合成ゴムとシルクセリシンをまぜたものの中に細かい気泡ができて、しっとりとしたやわらかい化粧用パフができる。
【産業上の利用可能性】
【０００７】本考案の化粧用パフは合成ゴムからできているので天然のゴムの供給に左右されることなく生産ができる。
【図面の簡単な説明】
【０００８】
【図１】本考案の合成ゴムにシルクセリシンをまぜて低温発泡させた化粧用のパフ
【図１】
0003152905.tif 000003
(57)【要約】      （修正有）【課題】垂木や長押等の釘隠しの中心突起部分にツバメが巣を作るのを防止でき、かつ、取付・取り外しが容易な防鳥器具を提供する。【解決手段】壁１から伸び出た垂木の釘隠し２と本防鳥器具との接続部分３は、クリップ形状をしていてツマミ部を摘むとクリップ口径が広がり、ツマミを離すとクリップ口径が元に戻り、釘隠し中心の突起部分に簡単に着脱できるように構成する。防鳥器具と釘隠しとの接続部分３の上部から金属製のステーを上後方に伸ばし、釘隠しの大きさにあわせて斜め前方に折り曲げ、釘隠しの突起を覆う程度まで伸ばして支柱４とする。その支柱に同じく金属製の先端を鋭利に加工した棒状物を上方向に複数本立ててほぼヤス状の形状５とする。【選択図】図１
0003152985.tif 000002
【実用新案登録請求の範囲】
【請求項１】
社寺建築や日本建築に用いる釘隠しの中心突起部分に装着する着脱自在の防鳥器具であって、先端を鋭利に加工した棒状部品を複数本それぞれ上方向に向けて列状態にステーに取り付け、釘隠しの中心突起部分に着脱自在に取付けた釘隠し防鳥器具。
【考案の詳細な説明】
【技術分野】
【０００１】
本考案は、寺社建築及び日本建築で用いる垂木や長押の釘の保護及び装飾用具である釘隠し中心突起部分に着脱自在方式で装着する、釘隠し防鳥器具に関するものである。
【背景技術】
【０００２】
寺社建築及び日本建築で用いる垂木や長押の釘の保護及び装飾用具である釘隠しの中心突起部分に、ツバメが営巣するという問題が発生していた。
【考案の開示】
【考案が解決しようとする課題】
【０００３】
釘隠しへのツバメの営巣は、釘隠し本体及び周辺木部の汚損を引き起こす。また、営巣したツバメが室内に糞を撒き散らす事から、単に景観の問題だけではなく、寺院等の文化財建造物や室内の障壁画等の文化財保護の観点からも大きな問題である。
【０００４】
従って、釘隠し中心突起部分に漁具のヤス状の先端の尖った形状物を上方向に取り付ける事により、釘隠し周辺へのツバメの飛来及び営巣を阻止して、これによって上述の問題を解決しようとするものである。
【課題を解決するための手段】
【０００５】
本考案は、土台となるステーにヤス状の棒状物を上向きに縦一列に取り付け、釘隠し中心突起部にワンタッチクリップ方式で着脱自在にしたものである。釘隠し中心部に本考案を取り付ける事で、ヤス状の棒状物の効果により、当該部分にツバメが近寄る事を阻止して、上記問題を解決した。また、着脱自在にした事により、ツバメの営巣・産卵季節以外は、取り外す事が可能であるので、釘隠し本来の意匠を損なわず、問題の解決が可能である。  
【考案の効果】
【０００６】
従来、釘隠しに対する防鳥対策は、釘隠し中心突起部分に鳥除テープを貼り付けるという手法がとられてきた。しかし、鳥除テープは反射性素材を使用しており、また、ある程度の長さを確保しないと効果を発揮しない為、釘隠しの意匠だけでなく、建物全体の景観を損ねるという問題があった。
【０００７】
本考案は、釘隠の形状にあわせて、スパイクを設置している為、鳥除テープ等に比べ、目立ちにくく、釘隠しや建物の景観を損なう事なく、防鳥対策が可能な防鳥器具である。
【図面の簡単な説明】
【０００８】
【図１】本考案の釘隠し防鳥器具の説明略図である。
【考案を実施するための形態】
【０００９】
壁１から伸び出た垂木の釘隠し２と本防鳥器具との接続部分３は、クリップ形状をしていてツマミ部を摘むとクリップ口径が広がり、ツマミを離すとクリップ口径が元に戻り、釘隠し中心の突起部分に簡単に着脱できるものである。この防鳥器具は釘隠しとの接続部分３の上部から金属製のステーを上後方に伸ばし、釘隠しの大きさにあわせて斜め前方に折り曲げ、釘隠しの突起を覆う程度まで伸ばして支柱４とする。その支柱に同じく金属製の先端を鋭利に加工した棒状物を上方向に複数本立ててほぼヤス状の形状５とした。
【００１０】
このヤス形状のため、釘隠し２部分に営巣しようと飛来する鳥類がとまらないように防止している。なお、ヤス状でステーに立てた棒状物の相互間隔は、営巣する鳥の種類にもよるが、その間に小型鳥類がとまれないように、ここでは１．５ｃｍ間隔とした。
【符号の説明】
【００１１】
１ 壁
２ 釘隠し
３ 釘隠し中心突起部への取り付け部分
４ 釘隠し防鳥スパイク支柱
５ 釘隠し防鳥スパイクのスパイク部分
【図１】
0003152985.tif 000003
(57)【要約】 【課題】  バスタイムは多様なストレスから開放されリラックスできるひとときである。そのようなニーズから水流をマッサージに利用したジェットバスが存在するが、ジェットバスは高価でメンテナンスの必要がある。メンテナンスフリーのマッサージ機能を有する浴槽、浴室を提供する。【解決手段】  球体または卵形を中心線で２分割して平坦な面に座る平面部と足裏が接触する曲面部とで構成する突起物を浴槽の側面や底面の一部、洗い場の床面の一部に固着または金型にて一体成型する。【選択図】 図7
0003152981.tif 000002
【実用新案登録請求の範囲】
【請求項１】
洗い場の床面の一部または浴槽の底面や側面の一部に球体または卵形を中心線で２分割して平坦な面に座る平面部と足裏が接触する曲面部とで突起物を構成することを特徴とした浴槽と浴室の構造。
【請求項２】
ゴム、合成樹脂など硬度４０〜８０ほどの反発力のある素材で突起物を施すと同じ形状であっても異なる踏み心地が期待できることを特徴とした請求項１記載の浴槽と浴室の構造。
【請求項３】
突起物の表面を粗面（梨肌状）に施せば、足裏の硬い角質が除去できる効果も期待できることを特徴とした請求項１または請求項２記載の浴槽と浴室の構造。
【考案の詳細な説明】
【技術分野】
【０００１】
この考案は浴槽と浴室の構造に関するものである。
【背景技術】
【０００２】
バスタイムは多様なストレスから開放されリラックスできるひとときである。そのようなニーズから水流をマッサージに利用したジェットバスが存在する。
【先行技術文献】
【特許文献】
【０００３】
【特許文献１】特開２００５−１７７４５１
【考案の概要】
【考案が解決しようとする課題】
【０００４】
ジェットバスは高価でメンテナンスの必要がある。メンテナンスフリーのマッサージ機能を有する浴槽、浴室を提供する。
【課題を解決するための手段】
【０００５】
浴槽の側面や底面の一部、洗い場の床面の一部に気軽に足裏マッサージができる突起物を施す。
【０００６】
突起物は球体または卵形を中心線で２分割して平坦な面に座る平面部と足裏が接触する曲面部とで構成する。浴槽の側面や底面の一部、洗い場の床面の一部に固着または金型にて一体成型する。
【考案の効果】
【０００７】
ジェットバスと比較し設備投資が安価で省エネで点検や修理も要らない。無音なので利用する時間帯を選ばず手軽である。
【図面の簡単な説明】
【０００８】
【図１】本考案、突起物の実施例の平面図。
【図２】同上、断面図。
【図３】異なる実施例の平面図。
【図４】同上、断面図。
【図５】異なる実施例の平面図。
【図６】同上、断面図。
【図７】本考案、浴室内部の斜視図。
【図８】使用状態を示す実施例。
【図９】同上の異なる使用状態を示す実施例。
【図１０】同上の異なる使用状態を示す実施例。
【考案を実施するための最良の形態】
【０００９】
図1、図2の突起物を洗い場に起立した時に壁面に身体が触れない位置、具体的には15cm〜20cm程度、壁から離して施すのが使用上適切である。また浴槽内は浴槽の底面の排水口や側面の循環口に接触しない平坦部に突起物を施すのが使用上適切である。
【００１０】
突起物は球体または卵形を中心線で２分割して平坦な面に座る平面部と足裏が接触する曲面部とで構成する。浴槽の側面や底面の一部、洗い場の床面の一部に固着または金型にて一体成型する。
【００１１】
ゴム、合成樹脂など硬度４０〜８０ほどの反発力のある素材で突起物を施すと同じ形状であっても異なる踏み心地が期待できる。
【００１２】
突起物の表面を粗面（梨肌状）に施せば足裏の硬い角質が除去できる効果も期待できる。
【実施例１】
【００１３】
図1、図2は、突起物の隙間を一定にし目地を通し清掃をしやすくした実施例である。突起物の入隅を末広がり状にすれば水垢が付着しにくくなり清掃もしやすくなる。
【００１４】
図3、図4は、突起物を小粒で密度を細かくしマイルドな踏み心地にした実施例である。
【００１５】
図5、図6は、突起物を大粒で密度を荒くしストロングな踏み心地にした実施例である。
【産業上の利用可能性】
【００１６】
ストレス社会の現代人の凝りや疲労を改善することに貢献する。
【符号の説明】
【００１７】
1  浴室
2  浴室内に施された突起物
【図１】
0003152981.tif 000003
【図２】
0003152981.tif 000004
【図３】
0003152981.tif 000005
【図４】
0003152981.tif 000006
【図５】
0003152981.tif 000007
【図６】
0003152981.tif 000008
【図７】
0003152981.tif 000009
【図８】
0003152981.tif 000010
【図９】
0003152981.tif 000011
【図１０】
0003152981.tif 000012
(57)【要約】      （修正有）【課題】遮音壁等（コンクリート壁や遮音壁）の新設時のみならず、既設の遮音壁等の緑化にも有効なプランターを提供する。【解決手段】短辺方向の断面形状を略Ｗ型とし、長辺方向の断面形状を、上辺を略した倒立等脚台形型に該プランターを形成する。さらに、該プランターを遮音壁等の上端に跨らせて設置し、該プランターの２つの鉛直方向突出部と遮音壁本体との間の空間に板バネあるいは、クサビを挿入し固定する。【選択図】図７
0003152926.tif 000002
【実用新案登録請求の範囲】
【請求項１】
短辺方向の断面形状を略Ｗ型とし、長辺方向の断面形状を上辺を略した倒立等脚台形型とすることを特徴とするプランター。
【考案の詳細な説明】
【技術分野】
【０００１】  本考案はコンクリート塀及び遮音壁等（以下、「遮音壁等」という）の緑化を可能とするプランターを提供するものであり、遮音壁等の新設時のみならず、既存の遮音壁等に対しても容易に緑化することを可能にするものである。
【背景技術】
【０００２】  従来、遮音壁等を緑化する場合、遮音壁等が計画段階であれば実用新案登録３０７６８９９号及び特開２００２−９７６１１号に示すように緑化土壌材及び種子を封入したパネル等を遮音壁等の本体とし、立設された支柱間に積層して取り付けたり、遮音壁等の道路側に植栽帯を設置していた。既存の遮音壁の緑化では道路の土地に余裕があれば道路側に植栽帯を設置できるが、余裕が無い時には特開２０００−１２００２７号及び特開２００５−２１１０３５号に示すように前記パネル等を遮音壁の本体及び支柱に取り付けていた。
【先行技術文献】
【特許文献】
【０００３】
【実用新案文献１】
実用新案登録３０７６８９９号
【特許文献１】
特開２００２−９７６１１号
【特許文献２】特開２０００−１２００２７号
【特許文献３】特開２００５−２１１０３５号
【考案の概要】
【考案が解決しようとする課題】
【０００４】  遮音壁等が計画段階であれば緑化に必要な土地、前記パネル等の使用などについて配慮した計画が立案できるので、なんら問題は発生しない。しかし、既設の遮音壁等では利用できる土地に限界があり、通常の場合は前記パネル等を遮音壁等に取り付けることになるが、、遮音壁等の本体に削孔を施すあるいは支柱に溶接するなど遮音壁自体の強度低下を招く、または遮音壁等の本体を傷つけないものの、前記パネルの取り付けに複雑な手順を要するなどの課題を有している。
【課題を解決するための手段】
【０００５】  通常のプランターの短辺方向及び長辺方向の断面形状は略Ｕ型であるが、本考案のプランターは短辺方向の断面形状を略Ｗ型に、長辺方向の断面形状を、上辺を略した倒立等脚台形型にすることにより、上記課題を解決するものである。
【考案の効果】
【０００６】  本考案のプランターは図７の斜視図に示すとおり遮音壁等の上端に跨座が可能であり、遮音壁等の新設時のみならず、既存の遮音壁等でも設置が容易である。また略Ｗ型形状のため、該プランターの２つの鉛直方向突出部と遮音壁等の本体との間に空間を生じるが、該空間に板バネまたはクサビを挿入することにより、遮音壁等の本体を傷つけることなく容易に該プランターを固定することができる。【０００７】  従来の緑化では緑化植物が遮音壁等の壁面を登攀するために必要な登攀補助具を設置しなければならなかった。該プランターは遮音壁等の上端に跨座させて設置するため、成長に従って緑化植物は下方へ懸垂しながら繁茂するので、補助具を使用することなく遮音壁等を緑化できる。【０００８】  該プランターは遮音壁等の上端に跨座するため、該プランターに雨水等を直接貯水できるので緑化植物のための集水設備、給水設備及び貯水設備等を必要としない。【０００９】  該プランターでは土壌材が鉛直方向突出部の最下部にまで充填されるので、緑化植物の根が脚部にまで伸長することが可能となり、根の伸長空間を十分に確保できるため、緑化植物の生育に好影響を及ぼす。【００１０】  さらに該プランターの長辺方向の断面形状を上辺を略した倒立等脚台形型としたことにより、立体形状は上面を開口部とする略倒立四角錐台となるため、土壌材充填前にプランターを保管する場合、図５に示すとおりプランター開口部に他のプランター脚部を収納することにより、効率よく重ねて保管できるので広い保管場所を必要としない。
【考案を実施するための形態】
【００１１】  短辺方向の断面形状を略Ｗ型とし、長辺方向の断面形状を、上辺を略した倒立等脚台形型とするプランター。
【実施例】
【００１２】  本考案を図において説明すると、図２の断面図の示す略Ｗ型の短辺方向断面を有し、図４の断面図に示す上辺を略した倒立等脚台形型の長辺方向断面を有する形状のプランターとする。
【図面の簡単な説明】
【００１３】
【図１】本考案のプランターの斜視図である。
【図２】本考案のプランターの１−１断面図（短辺方向の断面図）である。
【図３】本考案のプランターの正面図である。
【図４】本考案のプランターの２−２断面図（長辺方向の断面図）である。
【図５】本考案のプランターの平面図である。
【図６】本考案のプランター収納時の斜視図である。
【図７】本考案のプランター遮音壁設置時の斜視図である。
【符号の説明】
【００１４】      Ａ    本考案のプランター
Ｂ    遮音壁等の本体
Ｃ    支柱
【図１】
0003152926.tif 000003
【図２】
0003152926.tif 000004
【図３】
0003152926.tif 000005
【図４】
0003152926.tif 000006
【図５】
0003152926.tif 000007
【図６】
0003152926.tif 000008
【図７】
0003152926.tif 000009
(57)【要約】      （修正有）【課題】目的の場所に最適な角度で照射できるよう容易に角度を調整できる支持金具を用いて照明器具を取り付けた仏壇を提供する。【解決手段】一方が開いた支持金具の弾性を用いて円形管状にした当該照明器具を挟み込んで支持するとともに、支持金具で挟み込んだ部分の摩擦を介して回転できるようにしたことで、指の力で当該照明器具を容易に回転、脱着できるようにした。【選択図】図３
0003152929.tif 000002
【実用新案登録請求の範囲】
【請求項１】
一方が開いた支持金具の弾性を用いて円形管状の照明器具を挟み込んで支持するとともに、支持金具で挟み込んだ部分の摩擦を介して回転可能に固定させることで、照射角度を自在に変更できるようにした支持装置を持った照明器具を取り付けた仏壇。
【考案の詳細な説明】
【技術分野】
【０００１】  支持金具を用いて照明器具を取り付けた仏壇。
【背景技術】
【０００２】  従来、仏壇内部に取付けられた照明器具は、本体を目立たないようにする為、外部から隠れたところに取付けられることが多かった。その為、電球や蛍光管などを交換する際は、無理な姿勢で視認できない当該照明器具に取付けられている電球や蛍光管を手探りで取り替えていた。
【考案の開示】
【考案が解決しようする課題】
【０００３】  電球や蛍光管を交換する手間を省くため、ＬＥＤを用いた照明器具に変更する必要がある。しかし、ＬＥＤは照射角度が電球や蛍光灯などに比べ狭いため、目的の場所に最適な角度で照射できるよう容易に角度を調整できるようにすること。
【課題を解決するための手段】
【０００４】  一方が開いた支持金具の弾性を用いて円形管状にした当該照明器具を挟み込んで支持するとともに、支持金具で挟み込んだ部分の摩擦を介して回転できるようにしたことで、指の力で当該照明器具を容易に回転、脱着できるようにした。
【考案の効果】
【０００５】  当該照明器具ごと仏壇から容易に取付、取外しができることで、無理な姿勢をすることなく、不用意に手を着いて仏具を倒したり、無理な姿勢をとる必要がないので、ぎっくり腰などの身体的事故も防止できる。
また、照射角度を照明器具本体を指で摘まんで簡単に調整できることで、光を当てたいところに任意に当てられようになる。
【考案を実施するための最良の形態】
【０００６】  一方が開いた支持金具を仏壇に取付、開いた部分から円形管状にした当該照明器具を挿入し、当該支持金具の弾性を利用して挟み込んで支持し、挟み込んだ部分の摩擦を介して回転できるようにする。
【実施例】
【０００７】  以下、本考案の実施例を、図１から図２、及び図３を参照して説明する。図１は照明器具本体１が支持金具２に取付けられる前の状態を示し、図２は照明器具本体１が、支持金具２に挿入取付された状態を示し、図３は、支持金具２に取付られたのちに、矢印方向に回転できる様子を示している。
【図面の簡単な説明】
【０００８】
【図１】  照明器具が取り付けられる前の状態の斜視図である。
【図２】  照明器具が取り付けられた状態の斜視図である。
【図３】  照明器具が取り付けられた状態の側面図である。
【符号の説明】
【０００９】１  照明器具本体
２  支持金具
３  仏壇内部面
【図１】
0003152929.tif 000003
【図２】
0003152929.tif 000004
【図３】
0003152929.tif 000005
(57)【要約】      （修正有）【課題】ジーンズ・パンツ・ズボン・スラックス等の股の部分のダメージを軽減する付属品を提供する。【解決手段】ジーンズ・パンツ・ズボン・スラックス等の股の内側部分に取り付ける天使の羽根のような形状を持つことを特徴とする。【選択図】図１
0003152923.tif 000002
【実用新案登録請求の範囲】
【請求項１】
ジーンズ・パンツ・ズボン・スラックス等の股部分の生地を保護し、股部分の生地の擦り切れを回避する天使の羽根状の付属品。
【考案の詳細な説明】
【技術分野】
【０００１】本実用新案は、ジーンズ・パンツ・ズボン・スラックス等の股の擦り切れによる生地のダメージを軽減するものである。
【背景技術】
【０００２】ジーンズ・パンツ・ズボン・スラックス等の股の部分は、着用時の動作における摩擦や引っ張りなどの物理的な負荷や体温による温度の変化や、汗等による湿気などの外的条件により、他の部分に比べ生地が傷みやすい。股の一部分の生地の損傷により、その服自体が着られなくなる。または、スーツのように上着があるものは、上着は傷んでいないのにスラックスが傷むことで上下合わせて着られなくなるということになり、その経済的影響は大きい。
【考案の開示】
【考案が解決しようとする課題】
【０００３】ジーンズ・パンツ・ズボン・スラックス等の股部分の生地を外的条件から守り、ダメージを軽減する。しかも、外観上には、なんら変化のない構造とする。
【課題を解決するための手段】
【０００４】以上の課題を解決するために、ジーンズ・パンツ・ズボン・スラックス等の股の内側部分に取り付ける天使の羽根のような形状を持つ補強布を提案する。
【考案の効果】
【０００５】このように補強布をつけたジーンズ・パンツ・ズボン・スラックス等は、股の部分の外的条件が緩和されるため、生地のダメージが軽減され、擦り切れが起こりにくくなる。【０００６】生地の擦り切れ時期が延びることにより、服自体の着用期間が延び、資源の有効活用・リデュース的生活が促進され、洋服のコストパフォーマンスが高まる。
【考案を実施するための最良の形態】
【０００７】内股から尻にかけて生地が最もダメージを受けやすい部分に、着用時に履き心地がよく、又、外観上変わったところのない、天使の羽根のデザインを提案する。
【実施例１】
【０００８】補強布の前中心（Ａ）から後中心（Ｂ）を、スラックス等の前中心（Ｅ）から下がった股の前身ごろから後中心（Ｆ）に向かって縫い付ける。左右の羽根の端の部分（Ｃ・Ｄ）を、ジーンズ・パンツ・ズボン・スラックス等の内股の縫い線上に、部分的に縫いとめる。
【産業上の利用可能性】
【０００９】ジーンズ・パンツ・ズボン・スラックス等で股の擦り切れが生じにくくなることで、その衣服の寿命が延び、資源が有効に活用される。【００１０】補修しながら長く着るというライフスタイルを促進し、洋服のリフォーム業を活用する人口が増加する。
【図面の簡単な説明】
【００１１】
【図１】本実用新案の補強布の全体図。
【図２】スラックス等に取り付ける際の側面図。
【符号の説明】
【００１２】Ａ    補強布  前中心
Ｂ    補強布  後中心
Ｃ    補強布  左羽根端
Ｄ    補強布  右羽根端
Ｅ    スラックス等  前中心
Ｆ    スラックス等  後中心
【図１】
0003152923.tif 000003
【図２】
0003152923.tif 000004
(57)【要約】      （修正有）【課題】ネックレスあるいはブレスレットの脱着時の操作性と安全性が向上すると共に、装飾性も向上する輪型留め具を提供する。【解決手段】装飾品付引き輪型留め具は、指を引っ掛けて脱着する部分に、指の大きさに対して必要十分な大きさの装飾品を付けられるような構成を採用した。【選択図】図２
0003152924.tif 000002
【実用新案登録請求の範囲】
【請求項１】
身飾り品のネックレスやブレスレットなどの脱着に使われる引き輪型の留め具（クラスプ）において、引き輪を開閉する際に使用される指で引っ掛ける部分に、真珠あるいはその他の装飾品を装着した構成とすることを特徴とする装飾品付引き輪型留め具。
【考案の詳細な説明】
【技術分野】
【０００１】本考案は、身飾り品の脱着に使用される留め具に関するものである。
【背景技術】
【０００２】従来、身飾り品の脱着に使用される操作性の低い引き輪型留め具に、装飾性を持たせた部材を追加することにより、脱着の操作性を高める技術に関するものである。
【考案の開示】
【考案が解決しようとする課題】
【０００３】身飾り品のネックレスあるいはブレスレットなどにおいて、それらの脱着には種々の留め具が使用されているが、留め具の一つである引き輪型の留め具を使用する場合には、脱着時に使用する引き輪の指を引っ掛ける部分が小さく且つ細いために、脱着の操作性が低く、脱着に時間が掛かることや時には指の皮膚や爪の損傷を招く危険性を有している状況にある。
【課題を解決するための手段】
【０００４】上記課題を解決するため、本考案の請求項１に記載の装飾品付引き輪型留め具は、指を引っ掛けて脱着する部分に、指の大きさに対して必要十分な大きさの装飾品を付けられるような構成を採用した。
【考案の効果】
【０００５】本考案による装飾品付引き輪型留め具を使用することにより、ネックレスあるいはブレスレットの脱着時の操作性と安全性が向上すると共に、装飾性も向上した。
【実施例】
【０００６】本考案の装飾品付引き輪型留め具を、図面に示す具体的な実施例にもとづいて説明する。【０００７】図１から図２に示す、本考案による装飾品付引き輪型留め具は、部材（１）に従来の引き輪型留め具を使用し、部材（２）を、装飾品を接合可能とするように比較的細い金属による針状の形状とする。部材（３）は真珠を例とした装飾品であり、部材（２）の針状の形状に合わせて細い穴の空けられる装飾品であれば、種々の装飾品が適用可能である。
【図面の簡単な説明】
【０００８】
【図１】図１は、本考案による装飾品付引き輪型留め具の、装飾品を付けない状態での正面図である。
【図２】図２は、本考案による装飾品付引き輪型留め具の、装飾品を付けた状態での正面図である。
【符号の説明】
【０００９】１  金属などで製作された従来の引き輪型留め具
２  金属などで製作された従来の引き輪型留め具の指で引っ掛ける部分
３  例としての装飾品
【図１】
0003152924.tif 000003
【図２】
0003152924.tif 000004
(57)【要約】      （修正有）【課題】メガホンの形状を保持しながらうちわの機能を加え、暑い季節に行われるスポーツの観戦時等に応援用具や暑さ対策用具として役立つうちわ付きメガホンを提供する。【解決手段】扇形台紙１の両端にそれぞれ差し込み片２と切り込み口３を設け、扇形台紙１を丸めながら差し込み片２と切り込み口３を結合することで、拡声しやすく握りやすい丸みを帯びた円錐台形状のメガホンを組み立てることができ、且つ、扇形台紙１の放射方向外端辺に半円形または多角形突出片４を設ける。【選択図】図１
0003152927.tif 000002
【実用新案登録請求の範囲】
【請求項１】
角度１２０〜１５０度で放射方向に内端辺と外端辺を持ち、且つ、放射方向外端辺に半円形または多角形部を突出させた扇状の台紙を、丸めて台紙両側端部に設けた切り込み口と差し込み片を結合させて形成した、円錐台形状のうちわ付きメガホン。
【考案の詳細な説明】
【技術分野】
【０００１】  本考案は、メガホンの機能にうちわの機能を付加したうちわ付きメガホンに関するものである。
【背景技術】
【０００２】  特許文献１に示したうちわ付きメガホンが存在するが、メガホン部分が平らであるため、拡声しにくく握りにくいため、本来のメガホンの機能が薄れ、且つ、輸送時にかさばるという問題があった。
【先行技術文献】
【特許文献】
【０００３】
【特許文献１】登録実用新案公報第３０２１７５４号
【考案の概要】
【考案が解決しようとする課題】
【０００４】  従来のうちわ付きメガホンは、特許文献１に示したものが知られている。これは、弾力性のある平らな胴体部分に筒の口当て部分を設けたものである。胴体を平らにしている分ある程度風を作りやすい構造にはなっているが、拡声しにくく、握りにくいことからメガホンとして使いにくい。また、輸送時にかさばり不便である。
【課題を解決するための手段】
【０００５】  本考案は、１枚の扇状に形成した台紙を丸めて作るメガホンである。台紙とは、角度１２０〜１５０度で放射方向に内端辺と外端辺を持ち、側辺には切り込み口と差し込み片を持つ１枚の扇状のもので、素材は紙や樹脂製のものを含む。不使用時は１枚の平面であることから携帯に便利で、且つ、使用時は台紙の両端に設けた切り込み口と差し込み片を結合すればメガホンとなるので、組み立ても容易である。放射方向外端辺に半円形または多角形部を突出させることで、メガホン形状のまま風を作ることができる。また、形状が円錐台形状なので、握りやすく拡声しやすい。以上のことから、本来のメガホン機能を保持しながらうちわとしての機能を付加することにより、問題点を解決している。
【考案の効果】
【０００６】  上述の様に、本考案のうちわ付きメガホンは、拡声させたり握って叩いて音を出したりするメガホンとしての機能は勿論、メガホン形状のままうちわとしても使用できるため、暑い季節のスポーツ観戦時等に非常に役立つ。
【図面の簡単な説明】
【０００７】
【図１】本考案を展開した状態で示した平面図である。
【図２】本考案を両端から丸めた斜視図である。
【図３】本考案をメガホンとして使用している状態で示した斜視図である。
【考案を実施するための形態】
【０００８】  角度１２０〜１５０度の扇状の台紙を丸めながら、両端部にそれぞれ設けた切り込み口と差し込み片を結合させることで、円錐台形状のメガホンを組み立てることが可能となる。台紙の放射方向外端辺に半円形または多角形部を突出させることで、メガホンの形状を保持したままうちわとして使用することができる。
【実施例】
【０００９】  以下、添付図面に従って一実施例を説明する。１は耐久性のある紙もしくは樹脂などの適宜素材にて一体化形成されたうちわ付きメガホンの台紙であり、台紙両端部に設けられた差し込み片２と切り込み口３とを結合することで、円錐台形状のメガホンを形成する。【００１０】  台紙の放射方向外端辺に半円形または多角形部４を突出させることで、メガホン形状のまま風を作ることができる。即ち、円錐台形状で握りやすく拡声しやすいメガホンの機能を保持したまま、うちわとしての機能も持つ。
【産業上の利用可能性】
【００１１】  握りやすく拡声もしやすいメガホンとしての機能と、メガホンの形状のままうちわとして利用できる機能を持ち合わせていることから、暑い季節のスポーツ観戦時等において応援・暑さ対策という面からも非常に役に立つ。
【符号の説明】
【００１２】１  扇形台紙
２  差し込み片
３  切り込み口
４  突出片
【図１】
0003152927.tif 000003
【図２】
0003152927.tif 000004
【図３】
0003152927.tif 000005